(57)【要約】【課題】簡単な操作で、素早く目的地までの経路を検索することができる経路検索システムを提供する。【解決手段】ユーザーの携帯電話１と、コード管理サーバー２と、経路検索サーバー３と、ＨＰ管理サーバー４とを、インターネットなどの通信手段５を介して接続可能にしている。ＨＰ管理サーバー４は、ＨＰコードＣに対応させて目的地のホームページを記憶するとともに、このホームページに対応させて目的地の位置を特定する目的位置情報を記憶する機能と、この目的位置情報を上記経路検索手段に送信する機能とを備えている。経路検索サーバー３は、携帯電話１から送信された現在位置情報と、ＨＰ管理サーバー４から送信された目的位置情報とに基づいて、現在地から目的地までの経路を検索する機能と、この検索した経路を上記情報端末に送信する機能とを備えている。【選択図】  図１
2004157942.tif 000002
【特許請求の範囲】
【請求項１】
店舗等の目的地のホームページのアドレスを示すＨＰコードを送信するとともに現在地の位置を特定する現在位置情報を送信する情報端末と、この情報端末に接続可能なＨＰ管理手段と、上記情報端末に接続可能な経路検索手段とを備え、上記ＨＰ管理手段は、上記ＨＰコードに対応させて目的地のホームページを記憶するとともに、このホームページに対応させて目的地の位置を特定する目的位置情報を記憶する機能と、この目的位置情報を上記経路検索手段に送信する機能とを備え、上記経路検索手段は、上記情報端末から送信された現在位置情報と、上記ＨＰ管理手段から送信された目的位置情報とに基づいて、現在地から目的地までの経路を検索する機能と、この検索した経路を上記情報端末に送信する機能とを備えた経路検索システム。
【請求項２】
情報端末は、現在地の現在位置情報を記憶する現在位置情報記憶手段を備えた請求項１記載の経路検索システム。
【発明の詳細な説明】
【０００１】
【発明の属する技術分野】
この発明は、携帯電話等の端末を用いて目的地までの経路検索をするための経路検索システムに関する。
【０００２】
【従来の技術】
従来から、携帯電話で店舗等を目的地として設定し、この目的地までの経路を検索する経路検索システムが知られている。この従来のシステムでは、ユーザーは携帯電話を用いて、大メニュー→中メニュー→小メニューの順で画面を切り替えて経路検索サイトに接続していた。
すなわち、ユーザーは携帯電話をネットワークに接続して、大メニューを表示させる。この大メニューには、「交通情報」、「天気情報」、「ショッピング情報」、「グルメ情報」などの様々なサービスのカテゴリーが表示される。
【０００３】
そして、上記大メニューに表示された複数のカテゴリーの中から「交通情報」を選択する。「交通情報」を選択すると、この携帯電話のディスプレイには中メニューとして複数のサイトのリストが表示される。
ユーザーは、この中メニューのリストの中からひとつのサイトを選択する。このようにサイトを選択することによってユーザーはサイトに接続することができる。
【０００４】
上記サイトに接続すると、携帯電話のディスプレイにはこのサイトで利用可能な複数のサービスのリストが小メニューとして表示される。この小メニューには例えば、「地図情報提供サービス」や「経路検索サービス」などが含まれる。ユーザーは、この小メニューの中から「経路検索サービス」を選択する。
上記のように「経路検索サービス」を選択すると、携帯電話のディスプレイには目的地の情報を入力する入力画面が表示される。ユーザーは、ディスプレイに表示された画面にしたがって、目的地の電話番号や郵便番号、あるいは、住所などの目的位置情報を入力する。目的位置情報を入力したら、次に、ユーザーは現在地の電話番号や郵便番号、住所などを入力する。
【０００５】
上記のように目的位置情報と現在位置情報とを入力したら、ユーザーは検索開始ボタンを押して経路検索をおこなう。
検索開始ボタンが押されたら、サイト側では目的位置情報と現在位置情報とから、現在地から目的地までの経路を選択し、この経路情報をユーザーの携帯電話に表示する。
このようにして、ユーザーは、目的位置情報と現在位置情報を入力することによって、目的地までの経路を検索することができる。
【０００６】
なお、後に詳細に説明する本願発明は、先行技術調査をおこなうことなく、公知・公用の技術をもとに開発したものである。したがって、記載すべき先行技術文献情報はない。
【０００７】
【発明が解決しようとする課題】
上記のような従来例では、目的位置情報を入力する画面に到達するまで、大メニュー、中メニュー、小メニューと、何度も画面を切り替えなければならない。しかも、切り替えた画面毎にメニューのなかから必要なものを判断し、それを選択しなければならない。したがって、この作業が繁雑になり、時間もかかるという問題があった。
また、初めてこのシステムを利用するユーザーにとっては、メニューのなかから何を選択していいのか分からず、目的位置情報を入力する画面に到達するまでに、特に時間がかかってしまう。
【０００８】
さらに、ようやく目的位置情報を入力する画面に到達しても、この入力画面に目的地の電話番号や郵便番号、住所などを入力しなければならない。特に、目的位置情報として住所などの数字以外の文字を入力する場合には、一文字につき何回もボタンを押して、文字を選択しなければならず、この入力にも時間がかかるという問題があった。
上記のように、この従来例では、経路検索に手間がかかるという問題があった。
この発明の目的は、簡単な操作で、素早く目的地までの経路を検索することができる経路検索システムを提供することである。
【０００９】
【課題を解決するための手段】
第１の発明は、以下の点に特徴を有するものである。すなわち、店舗等の目的地のホームページのアドレスを示すＨＰコードを送信するとともに現在地の位置を特定する現在位置情報を送信する情報端末と、この情報端末に接続可能なＨＰ管理手段と、上記情報端末に接続可能な経路検索手段とを備える。上記ＨＰ管理手段は、上記ＨＰコードに対応させて目的地のホームページを記憶するとともに、このホームページに対応させて目的地の位置を特定する目的位置情報を記憶する機能と、この目的位置情報を上記経路検索手段に送信する機能とを備える。上記経路検索手段は、上記情報端末から送信された現在位置情報と、上記ＨＰ管理手段から送信された目的位置情報とに基づいて、現在地から目的地までの経路を検索する機能と、この検索した経路を上記情報端末に送信する機能とを備える。
【００１０】
第２の発明の情報端末は、現在地の現在位置情報を記憶する現在位置情報記憶手段を備えた点に特徴を有する。
【００１１】
【発明の実施の形態】
図１〜図７にこの発明の実施形態を示している。
図１に示したように、この発明の情報端末にあたるユーザーの携帯電話１と、コード管理サーバー２と、経路検索サーバー３と、ＨＰ管理サーバー４とを、インターネットなどの通信手段５を介して接続可能にしている。上記携帯電話１にはディスプレイ１ａを備えている。
【００１２】
ユーザーが上記携帯電話１のディスプレイ１ａに図２に示したようなＨＰコードＣを入力することによって、このディスプレイ１ａに目的地である店舗等のホームページを表示できるようにしている。
例えば、雑誌でレストランを紹介した場合、このレストランを表す番号として上記ＨＰコードＣを雑誌に記載するようにしている。
したがって、ユーザーが雑誌を見ていて、このレストランに行きたいと思ったときには、雑誌を見ながらこのレストラン情報に付されたＨＰコードＣを携帯電話１に入力する。
【００１３】
上記ＨＰコードＣは、図２に示したように、「３＃９６１０３」のような番号からなる。このＨＰコードＣである「３＃９６１０３」を携帯電話１に入力すれば、このＨＰコードＣの情報が、通信手段５を介してコード管理サーバー２に入力される。
上記コード管理サーバー２には、図３に示したような対応テーブルＴ１を備えている。この対応テーブルＴ１は、上記ＨＰコードＣに対応させたＵＲＬ等のホームページアドレスを記憶している。例えば、ＨＰコードＣが「３＃９６１０３」の場合、これに対応するホームページアドレスとして「ｈｔｔｐ：／／ＷＷＷ．△△△」が選択される。上記ホームページアドレスを選択したら、このホームぺじアドレスをＨＰ管理サーバー４に送信する。
【００１４】
上記ＨＰ管理サーバー４には、目的地情報記憶部６を備えている。この目的地情報記憶部６には、ホームページアドレスと各店舗のホームページとを対応させて記憶している。さらに、この目的地情報記憶部６には、このホームページに店舗の緯度・経度情報を対応させて記憶している。この緯度・経度情報がこの発明でいう目的位置情報である。
上記ＨＰ管理サーバー４にホームページアドレスが送信されることで、このＨＰ管理サーバー４はこの店舗のホームページを選択し、このホームページの情報を携帯電話１に送信するようにしている。
【００１５】
上記携帯電話１にホームページの情報を送信すると、この携帯電話１のディスプレイ１ａには、この店舗のホームページが表示されるとともに、図４に示したように経路検索ボタン７が表示される。
ユーザーが店舗までの経路を知りたいと思ったときに、この経路検索ボタン７をクリックすれば、経路検索信号がＨＰ管理サーバー４に送信される。ＨＰ管理サーバー４は、この経路検索信号が送信されたら、目的地情報記憶部６に記憶した店舗の緯度・経度情報を経路検索サーバー３に送信する。
【００１６】
上記検索サーバー３には、現在地から目的地の緯度・経度情報と、現在地の緯度・経度情報に基づいて現在地から目的地までの経路を検索する処理部８と、携帯電話１から送信された現在位置情報に基づいて、この現在地の緯度・経度を特定する緯度・経度特定部９とを備えている。
【００１７】
ユーザーは、現在位置情報を携帯電話１から上記経路検索サーバー３に送信するが、この現在位置情報とは、携帯電話１を介して、ユーザーが入力する現在位置の情報である。この現在位置情報には、例えば、ユーザーが現在いる場所の郵便番号、住所、ビル名、電話番号などがある。このようにユーザーが携帯電話１に現在位置情報を入力すれば、これが経路検索サーバー３に送信され、上記緯度・経度特定部９でこの現在地の緯度・経度が特定される。
【００１８】
また、携帯電話１に上記現在位置情報を予め記憶させておくこともできる。すなわち、ユーザーは携帯電話１の現在位置情報記憶部に自宅や勤務先の電話番号・住所・郵便番号を現在位置情報として記憶させることができる。例えば、現在位置情報Ｄ１として自宅の電話番号等を入力し、現在位置情報Ｄ２として勤務先の電話番号等を入力する。さらに、よく行く遊び場の電話番号等を現在位置情報Ｄ３として入力することもできる。
そして、上記ディスプレイ１ａに現在地の入力画面が表示されたら、ユーザーは、上記現在位置情報Ｄ１〜３の何れかを選択すれば、これを現在位置情報として経路検索サーバー３に送信することができるようにしている。
【００１９】
上記経路検索サーバー３の緯度・経度特定部９には、図６に示した対応テーブルＴ２を備えている。このテーブルＴ２では、例えば、郵便番号と緯度・経度情報、住所と緯度・経度情報、ビル名と緯度・経度情報、電話番号と緯度・経度情報とを、それぞれ対応させて記憶している。したがって、上記現在位置情報のうち何れかひとつが入力されれば、その現在位置の緯度・経度情報を得ることができる。
【００２０】
上記現在位置情報として、例えば、現在地の電話番号「０３−○○○○―××××」が送信された場合、経路検索サーバー３では、緯度・経度特定部９に備えた対応テーブルＴ２から、この現在位置情報に対応する緯度・経度情報として「北緯Ｃ１東経Ｄ１」を選択する。
【００２１】
そして、この経路検索サーバー３の処理部８では、特定した現在地の緯度・経度情報と、目的地の緯度・経度情報とをもとにして、現在地から目的地までの経路検索をおこなう。
この処理部８には、上記現在地および目的地と、その経路とをテーブルにして記憶させてもよいし、上記緯度・経度情報をもとにその都度作成するようにしてもよい。
上記経路検索サーバー３で現在位置から目的地までの経路を決定したら、経路検索サーバー３は、この経路情報を携帯電話１に送信する。
【００２２】
次に、このシステムの利用例を説明する。
この実施形態では、雑誌にレストランの紹介とＨＰコードＣとを対応させて掲載している。
そして、ユーザーは、例えば、雑誌に紹介されている「レストラン渋谷」に行きたいと思ったとき、このレストランを目的地として設定する。すなわち、この雑誌に掲載されているレストランのＨＰコードＣを携帯電話１に入力する。このときユーザーは雑誌に記載されたＨＰコードＣである番号を見ながら、これを携帯電話１に入力することができるので、その入力が簡単にできる。
【００２３】
上記携帯電話１にＨＰコードＣを入力したら、通信手段５への接続ボタンを押す。接続ボタンを押すことによって、このＨＰコードＣがコード管理サーバー２に送信される。
上記ＨＰコードＣが例えば「３＃９６１０３」であった場合、コード管理サーバー２は、対応テーブルＴ１からこのＨＰコードＣに対応するホームページアドレス「ｈｔｔｐ：／／ＷＷＷ．△△△」を選択し、これをＨＰ管理サーバー４に送信する。
上記ホームページアドレスが送信されたＨＰ管理サーバー４は、目的地情報記憶部６から上記「ｈｔｔｐ：／／ＷＷＷ．△△△」のホームページアドレスを有するレストランのホームページを選択し、このホームページ情報を携帯電話１に送信する。
携帯電話１のディスプレイ１ａには、図４に示したように上記レストランのホームページの情報が表示されるとともに、経路検索ボタン７も表示されるようにしている。そしてユーザーがこの経路検索ボタン７をクリックすると、経路検索信号が、再びＨＰ管理サーバー４に送信される。
【００２４】
上記ＨＰ管理サーバー４では、目的地情報記憶部６からこのレストランのホームページ対応づけられた緯度・経度情報を特定し、これを経路検索サーバー３に送信する。このレストランの緯度・経度情報として例えば「北緯Ａ１東経Ｂ１」が添付されている。
なお、ここでは経路検索ボタン７をクリックしたら、ＨＰ管理サーバー４で緯度・経度情報を特定するようにしているが、この緯度・経度情報もホームページの情報と同時に携帯電話１に送信されるようにすれば、この緯度・経度情報が直接経路検索サーバー３に送信することもできる。また、ＨＰ管理サーバー４が携帯電話１にホームページの情報を送信すると同時に、緯度・経度情報を経路検索サーバー３に送信しておくこともできる。
【００２５】
上記目的地の緯度・経度情報「北緯Ａ１東経Ｂ１」が送信された経路検索サーバー３は、ユーザーの現在地の情報を得るために、携帯電話１のディスプレイ１ａに現在地の入力画面を表示させる。
ユーザーはこの画面にしたがって、現在位置の郵便番号や住所、電話番号等の現在位置情報か、あるいは携帯電話に予め記憶させた現在地情報Ｄ１〜Ｄ３を入力する。
【００２６】
ここでは自宅の現在位置情報Ｄ１を入力する。このように、自宅の現在位置情報Ｄ１を入力すれば、この自宅の電話番号「０３−○○○○−××××」、郵便番号「１５６−０００２」などが現在位置情報として経路検索サーバー３に送信される。
ただし、自宅の電話番号だけ、あるいは郵便番号だけを現在位置情報として送信するようにしてもよい。
【００２７】
現在位置情報「０３−○○○○−××××」等が送信されたら経路検索サーバー３は、緯度・経度特定部９に記憶した図６に示した対応テーブルＴ２に基づいて、現在地の緯度・経度「北緯Ｃ１東経Ｄ１」を選択する。
上記現在地の緯度・経度「北緯Ｃ１東経Ｄ１」を選択したら、処理部８は、目的地の緯度・経度情報「北緯Ａ１東経Ｂ１」と、現在地の緯度・経度情報「北緯Ｃ１東経Ｄ１」とに基づいて、現在地から目的地までの経路を決定する。そして、処理部８は、この経路を携帯電話１に送信する。
以上のようにして、携帯電話１のディスプレイ１ａに、図７に示したようにな経路案内が表示されるようになる。上記ディスプレイ１ａに経路案内が表示されるので、ユーザーはこれを見ながら目的地である「レストラン渋谷」にいくことができる。
【００２８】
また、上記図７に示したディスプレイ１ａには、ホームページの閲覧画面に戻ることができる「ＨＰ閲覧」ボタン１０を備えている。したがって、再びホームページに戻りたいときには、この「ＨＰ閲覧」ボタン１０をクリックすればよい。
なお、上記ホームページにはレストランのメニューや、レストランの最寄り駅からレストランまでの地図などが表示されるようにしている。ただし、この地図は、経路案内が表示されたディスプレイ１ａに地図の閲覧ボタンとして設けてもよい。そして、この地図の閲覧ボタンをクリックすれば、地図を閲覧することができるようにする。
【００２９】
以上のようにこの実施形態によれば、ユーザーは携帯電話１にＨＰコードＣを入力し、この携帯電話１を通信手段５に接続するだけで、目的地のホームページに直接接続することができる。そしてこのホームページに経路検索ボタンを備え、この経路検索ボタンをクリックするだけで、経路検索サーバー３に接続することができる。したがって、従来のように大量にあるメニューやサービスのなかから検索サイトを探しだす必要がない。つまり、ユーザーは、何度も画面を切り替える必要がなく、簡単に検索サーバーに接続することができる。
【００３０】
しかも、ＨＰコードＣで特定されたホームページには、この目的地の位置情報として、緯度・経度情報が対応づけられていて、この緯度・経度情報が自動的に経路検索サーバー３に送信されるので、ユーザーが目的位置情報を特別に入力する必要もない。すなわち、従来例のように検索サイトを立ち上げてから改めて目的位置情報を入力する必要がないので、より一層検索時間が短縮され、操作も容易にすることができる。
上記のように経路検索サーバーに接続するまでの時間、および、接続してから目的地を入力するまでの時間が、従来例に比べて短縮されたので、結果として、経路情報を得るまでの時間が短縮されるとともに、簡単な操作で経路情報を得ることができる。
【００３１】
また、携帯電話に自宅や勤務先の情報を予め記憶させておいて、これを現在地情報として用いることができるので、現在地情報の入力も簡単におこなうことができる。したがって、より一層簡単な操作で、速く経路検索をおこなうことができる。
しかも、記憶させておいた情報をそのまま用いることができるので、新たに入力する場合に比べて、入力ミスを防止することができる。
【００３２】
さらに、この実施形態では、上記ＨＰコードＣとして数字や記号などの番号を用いているので、その入力も非常に簡単である。特に、携帯電話を用いた場合には、数字や「♯」「＊」ような記号は、ボタンに大きく表示されていることが多く、しかも、これらを入力するときには、一字につき一回のクリックでよい。したがって、より簡単な操作で、短時間で入力することができる。
【００３３】
なお、上記実施形態では、ユーザーがＨＰコードＣを入力すると、これに対応する目的地のホームページがディスプレイ１ａに表示されるようにしているが、先に経路検索の入力画面が表示されるようにしてもよい。この場合には、経路検索の結果を表示する画面にＨＰ閲覧ボタンを設け、このボタンをクリックすれば、この目的地のホームページを閲覧できるようにすればよい。
また、現在位置情報を入力する場合、携帯電話１のディスプレイ１ａに入力画面を表示させるようにしているが、表示させないようにしてもよい。入力画面を表示させない場合には、例えば、携帯電話１の現在位置情報記憶手段に記憶させた情報が自動的に経路検索サーバー３に送信されるようにすればよい。
【００３４】
さらに、上記コード管理サーバー２、経路検索サーバー３、ＨＰ管理サーバー４は、同一のサイトに設けるようにしてもよいし、別々のサイトに設けるようにしてもよい。
また、ＨＰコードＣとして数字を用いているが、英数字などの他の文字を用いてもよいし、ホームページのＵＲＬアドレスをＨＰコードＣとして用いてもよい。
【００３５】
さらに、現在位置情報および目的位置情報を緯度・経度情報に変換し、この緯度・経度情報に基づいて経路検索をおこなうようにしているが、緯度・経度情報に限ったものではない。例えば、地図上の座標を示す独自のルールに従って、上記現在地および目的地を示す現在位置情報、目的位置情報を用いてもよいし、また、例えばビルの地下などを表すような３次元的な位置情報を用いてもよい。
【００３６】
【発明の効果】
第１の発明によれば、ＨＰコードを情報端末に入力し、これをＨＰ管理手段に送信すれば、ホームページが情報端末に表示されるとともに、この情報端末を経路検索手段に接続することもできる。したがって、上記経路検索手段への接続が簡単にできる。
しかも、上記ＨＰコードには、目的位置情報が含まれるので、改めて目的位置情報を入力しなくてもよく、この目的位置情報を入力するのに時間がかかるということがない。したがって、簡単な操作で、素早く目的地までの経路を検索することができる。
【００３７】
第２の発明によれば、情報端末に現在地の現在位置情報を記憶する現在位置情報記憶手段を備えたので、ユーザーはこの現在位置情報記憶手段に記憶された現在位置情報を用いることによって、改めて現在位置情報を入力する必要がない。
したがって、より一層簡単な操作で、素早く目的地までの経路を検索することができる。
【図面の簡単な説明】
【図１】実施形態のシステムの全体構成図である。
【図２】実施形態のＨＰコードを示した図である。
【図３】実施形態のＨＰコードとホームページアドレスとの対応テーブルである。
【図４】実施形態のホームページを表示したディスプレイを示した図である。
【図５】経路検索サーバーの機能を示したブロック図である。
【図６】実施形態の現在位置情報と緯度・経度情報との対応テーブルである。
【図７】実施形態の経路検索結果を表示したディスプレイを示した図である。
【符号の説明】
１    携帯電話
３    経路検索サーバー
４    ＨＰ管理サーバー
６    目的地情報記憶手段
８    処理部
９    緯度・経度特定部
Ｃ    ＨＰコード
【図１】
2004157942.tif 000003
【図２】
2004157942.tif 000004
【図３】
2004157942.tif 000005
【図４】
2004157942.tif 000006
【図５】
2004157942.tif 000007
【図６】
2004157942.tif 000008
【図７】
2004157942.tif 000009